(57)【要約】      （修正有）【課題】筺体内に効率良く足載台駆動手段を配置することで、筺体の小型化を実現し、分割式の回転カム体の採用によって部品点数を減らして成形コストの削減と軽量化とが図れる使い勝手に優れた健康器具を提供すること。【解決手段】本発明の健康器具１は、筺体３と、筺体３の上部に設置され足が載置されると共に水平方向Ｘに往復動可能に構成された足載台５と、筺体３内に内装され足載台５を水平方向Ｘに往復動させる足載台駆動手段７と、を具備し、上記足載台駆動手段７を足載台５の下方において足載台５の往復動方向にその軸方向を沿わせて設置された駆動モータ４５と、駆動モータ４５の出力軸に固着された回転カム体４１と、足載台５側より突出・配置され上記回転カム体４１のカム溝４３に移動可能な状態で係合するガイドローラ３９と、から構成した。【選択図】図２
2009090057.tif 000002
【特許請求の範囲】
【請求項１】
筺体と、上記筺体の上部に設置され足が載置されると共に水平方向に往復動可能に構成された足載台と、上記筺体内に内装され上記足載台を水平方向に往復動させる足載台駆動手段と、を具備し、上記足載台駆動手段は、上記足載台の下方において足載台の往復動方向にその軸方向を沿わせて載置された駆動モータと、上記駆動モータの出力軸に固着された回転カム体と、上記足載台側より突出・配置され上記回転カム体のカム溝に移動可能な状態で係合するガイドローラと、から構成されていることを特徴とする健康器具。
【請求項２】
請求項１に記載の健康器具において、  上記回転カム体は軸方向に沿って二分割された回転カム体要素を接合して構成されているものであることを特徴とする健康器具。
【請求項３】
請求項１又は請求項２に記載の健康器具において、  上記足載台の足載部には、左右両端が高くなるように湾曲形成された凹陥面が設けられていることを特徴とする健康器具。
【請求項４】
請求項１〜請求項３の何れかに記載の健康器具において、  上記健康器具には、使用時に腰の下に敷く腰当てクッションが付設されていることを特徴とする健康器具。
【請求項５】
請求項１〜請求項４の何れかに記載の健康器具において、上記筺体には不使用時に付属品を収納しておく収納室が設けられていることを特徴とする健康器具。
【発明の詳細な説明】
【技術分野】
【０００１】
本発明は、床面に仰向けに寝た状態で足載台に足を載せて俗に「金魚運動」と呼ばれている足振り運動を実行することによって下半身及び腹部の揺動による内蔵機能の活発化とを促す健康器具に関するものである。
【背景技術】
【０００２】
従来から上記「金魚運動」と呼ばれている足振り運動を実行するための健康器具が開発されている。下記の特許文献１はその一例を示している。特許文献１では腹部揺動器具として健康器具が紹介されており、クランク機構の採用によって摺動駒の往復動作を円滑にした健康器具が開示されている。  この健康器具は足載台を左右に往復動させるための駆動機構の側位に駆動モータを設けており、該駆動モータの出力軸にクランクアームを取り付け、このクランクアームと摺動駒とをクランクロッドによって連結するという構成をとっている。  
【０００３】
【特許文献１】特開平７−８００３３号公報
【発明の開示】
【発明が解決しようとする課題】
【０００４】
しかし、上記駆動機構の側位に駆動モータを設けると、筺体が横に長くなって大型化してしまい、健康器具の使い勝手や持ち運びが不便になり、保管場所の確保が難しくなる。  また、クランク機構の採用は部品点数の増大を招き、構造の複雑化をもたらす。  
【０００５】
本発明はこのような点に基づいてなされたものでその目的とするところは、筺体内に効率良く足載台駆動手段を配置することで、筺体の小型化を実現し、分割式の回転カム体の採用によって部品点数を減らして成形コストの削減と軽量化とが図れる使い勝手に優れた健康器具を提供することにある。
【課題を解決するための手段】
【０００６】
上記目的を達成するべく本願発明の請求項１による健康器具は、筺体と、上記筺体の上部に設置され足が載置されると共に水平方向に往復動可能に構成された足載台と、上記筺体内に内装され上記足載台を水平方向に往復動させる足載台駆動手段と、を具備し、上記足載台駆動手段は、上記足載台の下方において足載台の往復動方向にその軸方向を沿わせて載置された駆動モータと、上記駆動モータの出力軸に固着された回転カム体と、上記足載台側より突出・配置され上記回転カム体のカム溝に移動可能な状態で係合するガイドローラと、から構成されていることを特徴とするものである。  又、請求項２による健康器具は、請求項１に記載の健康器具において、上記回転カム体は軸方向に沿って二分割された回転カム体要素を接合して構成されているものであることを特徴とするものである。  又、請求項３による健康器具は、請求項１又は請求項２に記載の健康器具において、上記足載台の足載部には、左右両端が高くなるように湾曲形成された凹陥面が設けられていることを特徴とするものである。  又、請求項４による健康器具は、請求項１〜請求項３のいずれかに記載の健康器具において、上記健康器具には、使用時に腰の下に敷く腰当てクッションが付設されていることを特徴とするものである。  又、請求項５による健康器具は、請求項１〜請求項４のいずれかに記載の健康器具において、上記筺体には不使用時に付属品を収納しておく収納室が設けられていることを特徴とするものである。
【発明の効果】
【０００７】
本発明による健康器具によると、筺体と、上記筺体の上部に設置され足が載置されると共に水平方向に往復動可能に構成された足載台と、上記筺体内に内装され上記足載台を水平方向に往復動させる足載台駆動手段と、を具備しており、上記足載台駆動手段は、上記足載台の下方において足載台の往復動方向にその軸方向を沿わせて設置された駆動モータと、上記駆動モータの出力軸に固着された回転カム体と、上記足載台側より突出・配置され上記回転カム体のカム溝に移動可能な状態で係合するガイドローラと、から構成されているから、筺体内に効率良く足載台駆動手段を配置することが可能になり、筺体の小型化と、健康器具の軽量化とを図ることができる。  又、上記回転カム体を軸方向に沿って二分割された回転カム体要素を接合することによって構成した場合には、複雑な立体的なカム溝を有する回転カム体を比較的単純な構造の成形型を使用して成形することが可能になり、回転カム体の成形コストを削減することができる。  又、上記足載台の足載部を左右両端が高くなるように湾曲形成された凹陥面によって構成した場合には、当該健康器具を使用中、足載台の往復動によって足載台から足が飛び出てしまう事態が防止される。  又、上記健康器具に対して使用時に腰の下に敷く腰当てクッションを付設した場合には、当該健康器具の使用時における腰の位置が安定するため、腰を中心とした円滑な下半身の動きが確保される。又、床面に対する腰の擦れが防止され、クッション性もあるため快適に揺動運動を行うことができるようになる。  又、上記筺体に対して不使用時に付属品を収納しておく収納室を設けた場合には、リモートコントローラや電源コード等の付属品の整理が容易になり、付属品の紛失も防止される。
【発明を実施するための最良の形態】
【０００８】
以下、図１乃至図１１を参照して本発明の健康器具の実施の形態について説明する。  図１は本発明の一実施の形態に係る健康器具と、その付属品を示す斜め前方からの斜視図、図２は健康器具の内部構造を示す斜視図、図３は健康器具の正面図、図４は図３中のＩＶ−ＩＶ線で破断した状態を示す断面図、図５は健康器具の右側面図、図６は図５中のＶＩ−ＶＩ線で破断した状態を示す断面図、図７は回転カム体の接合構造を示す側断面図、図８はリモートコントローラのボタン配置を示す正面図、図９は収納室の開閉蓋を取り外した状態の健康器具を示す斜め後方からの斜視図、図１０は健康器具の使用状態を示す斜視図、図１１は健康器具の作動態様を表にまとめた説明図である。  
【０００９】
本実施の形態による健康器具１は、筺体３と、足載台５と、足載台駆動手段７とを基本的に具備することによって構成されている。筺体３は一例として蒲鉾形ないし俵形をした中空のボックス状の部材である。筺体３は、底部９と、その周縁及び左側板１１と右側板１３とを備える下部ハウジング１５と、該下部ハウジング１５の開放された前面、背面及び上面を覆う鞍形の湾曲した形状の上部カバー１７とを具備している。  
【００１０】
下部ハウジング１５には一例として右側板１３の中央付近の位置に駆動モータ４５のＯＮ、ＯＦＦを切り換える動作スイッチ７３が設けられており、当該動作スイッチ７３の手前下方の位置に後述するリモートコントローラ７７の接続プラグを接続するための接続ジャック７５が設けられている。  又、図示は省略するが、下部ハウジング１５の適宜の位置には外部から電源の供給を受けるための電源コード等が接続されており、下部ハウジング１５の下面には床面Ｆに対する下部ハウジング１５の滑りを防止するための脚部８７が設けられている。  
【００１１】
一方、上部カバー１７には上面に角穴状の窓部７９が形成されており、該窓部７９を挟んで足載台５の足載部１９とスライダー２１とが接続されるようになっている。又、上部カバー１７の傾斜した背面には図９に示すように後述するリモートコントローラ７７等の付属品を不使用時に収納しておくための収納室８１が設けられており、該収納室８１の開口には係止爪８３を備えた開閉蓋８５が着脱自在に取り付けられるようになっている。  
【００１２】
足載台５は上記筺体３の上部に設置されており、直接、使用者Ａの足Ｂないし足首付近を載置する足載部１９と、当該足載部１９と接続されて、上記足載部１９を水平方向Ｘに所定ストローク往復動させるスライダー２１とを備えることによって構成されている。  このうち、足載部１９には図３等に示すように左端部２３と右端部２５が高くなるように湾曲形成された凹陥面２７が設けられており、その表面はクッションカバー２９によって覆われている。  
【００１３】
スライダー２１は矩形平板状をしており、スライダー２１の上面の一部には上記足載部１９との接続部となる接合突起３１が設けられている。  又、スライダー２１の下面のコーナー付近には後述する前後２本のスライドシャフト３３、３３とスライド自在に嵌合するシャフトホルダ３５が４個設けられている。  又、スライダー２１の左端寄りの下面には鉛直方向下方に向けて延びる回転軸３７が設けられており、当該回転軸３７にはガイドローラ３９が回転自在に取り付けられている。  尚、上記ガイドローラ３９は後述する回転カム体４１に形成されている螺旋状のカム溝４３に対して移動可能な状態で係合するように設けられている。  
【００１４】
足載台駆動手段７は駆動モータ４５、減速機４７、該減速機４７を介して上記駆動モータ４５の出力軸に固着される回転カム体４１及び上記ガイドローラ３９を備えることによって基本的に構成されている。  駆動モータ４５は一例として直流モータによって構成されており、上記足載台５の下方において足載台５の往復動方向となる水平方向Ｘにその軸方向を沿わせて設置されている。  即ち、下部ハウジング１５の底部９の中央にはベースプレート４９が設けられており、該ベースプレート４９に対して設けられているモータ用支持ブラケット５１によって上記駆動モータ４５は図示しない出力軸を左方に向けた状態で水平姿勢で保持されている。  
【００１５】
減速機４７は上記駆動モータ４５の出力軸の回転数を足載台５の往復動作に適した回転数に減速するた
めに設けられており、減速機４７のハウジングと一体の減速機用支持ブラケット５３によって上記ベースプレート４９の上方に設けられている。回転カム体４１は図７に示すように軸方向に沿って二分割された基端側回転カム体要素５５と、先端側回転カム体要素５７とを接合することによって構成されている。  
【００１６】
基端側回転カム体要素５５と先端側回転カム体要素５７はカム溝４３の部分でカム溝４３に沿う方向に分割されており、基端側回転カム体要素５５と先端側回転カム体要素５７とを分割面５９で接合することによって螺旋状のカム溝４３を形成するように構成されている。  そして、上記基端側回転カム体要素５５と先端側回転カム体要素５７とを接合した状態の回転カム体４１には上記減速機４７を介して駆動モータ４５の出力軸が接続されている接続軸部６１と、該接続軸部６１の外周に対して一体に形成されている傾斜したプーリ形状の立体カム６５とが設けられており、該立体カム６５の外周面に上記カム溝４３が刻設されている。  尚、上記カム溝４３の横断面形状は上記ガイドローラ３９の縦断面形状に対応した角溝形状になっている。  
【００１７】
この他、下部ハウジング１５の底部９には上記ベースプレート４９の左端部に衝立状の左端支持プレート６７が立ち上げられており、上記ベースプレート４９の右端部に同じく衝立状の右端支持プレート６９が対向するように立ち上げられている。  そして上記左端支持プレート６７と右端支持プレート６９の上記コーナー部付近に足載台５の往復動方向に延びる上記２本のスライドシャフト３３が水平に架け渡されている。  又、下部ハウジング１５の底部９には上記ベースプレート４９の手前に電子基板７１が設けられており、リード線Ｗ等を介して下部ハウジング１５の一例として右側板１３に対して設けられている動作スイッチ７３等に接続されている。  
【００１８】
そして、このようにして構成される本実施の形態による健康器具１には更に付属品として使用時に使用者Ａの腰Ｃの下に敷く腰当てクッション８９と、使用者Ａが健康器具１を使用している床面Ｆに仰向けに寝た姿勢で駆動モータ４５のＯＮ、ＯＦＦや各種の操作を実行するためのリモートコントローラ７７等が付設されている。  尚、リモートコントローラ７７には図８に示すように駆動モータ４５のＯＮ、ＯＦＦを切り換える起動・停止ボタン９１、タイマーの設定時間を切り換えるタイマーボタン９３、駆動モータ４５の回転数を切り換える強・弱切換えボタン９５及び自動運転と一般作動運転とを切り換える運転切換えボタン９７とが設けられている。  
【００１９】
次にこのようにして構成される本実施の形態による健康器具１の作動態様を操作手順と合わせて、図８〜図１１に基づいて説明する。（１）操作の準備（図１０参照）  使用者Ａは上部カバー１７の背面に取り付けられている開閉蓋８５を上部カバー１７から取り外して、収納室８１内に収納されているリモートコントローラ７７と図示しない電源コードを取り出す。  そして電源コードの電源プラグを家庭用の１００Ｖ電源コンセントに挿し込み、リモートコントローラ７７の接続プラグを下部ハウジング１５に設けられている上述した接続ジャックに挿し込む。  
【００２０】
次に下部ハウジング１５の右側板１３に設けられている動作スイッチ７３をＯＮ状態にし、動作スイッチ内部の赤色ＬＥＤランプを点灯させる。  そして、使用者Ａは図１０に示すように腰Ｃの下に腰当てクッション８９を敷き、足Ｂないし足首を足載台５上に乗せて床面Ｆ上に仰向けに寝る。  以上で健康器具１を使用するための操作準備が完了する。  
【００２１】
（２）走査の実行と作動態様（図８、図１０及び図１１参照）  最初にタイマー時間を設定する。タイマー時間の設定は上記タイマーボタン９３で行い、タイマーボタン９３を押す度に、１０分、２０分、３０分に切り換わる。尚、設定しない場合には１０分間作動するようになっている。  次に駆動モータ４５の回転数を上記強・弱切換えボタン９５によって切り換える。尚、図１１に示すように「強」の時が１４０ｒｐｍ、「弱」の時が１１０ｒｐｍである。又、強・弱切換えボタン９５を設定しない場合には「弱」で作動するようになっている。  
【００２２】
次に、運転状態を上記運転切換えボタン９７によって切り換える。運転切換えボタン９７を押すことによって自動運転状態と一般作動運転状態に切り換わる。  一般作動運転の場合には起動・停止ボタン９１を一回押すとそのまま作動する。自動運転の場合は運転切換えボタン９７を押した後、起動・停止ボタン９１を押して作動させる。自動運転の場合は図１１に示すように５５秒間作動し、５秒間ストップする。これを１サイクルとして設定したタイマー時間の間、上記動作を繰り返す。  
【００２３】
尚、自動運転時でも一般作動運転時でも、その途中で駆動モータ４５の回転数を変更したい場合には、強・弱切換えボタン９５を押すことによって運転状態を切り換えることができる。  又、作動中、タイマー時間を変更したい場合には、起動・停止ボタン９１を押して作動を停止させてからタイマーボタン９３を押してタイマー時間を変更するようにする。従って作動しながらのタイマー時間の変更はできないようになっている。  同様に、作動中、一般作動運転状態から自動運転状態への変更及び自動運転状態から一般作動運転状態への変更も起動・停止ボタン９１を押して作動を停止させてからでないと変更できないようになっている。  
【００２４】
（３）操作の終了（図８、図９参照）  操作の終了は上記タイマー時間の終了により自動的に、作動中、使用者Ａが起動・停止ボタン９１を押すことにより強制的に駆動モータ４５の回転を停止することによって実行される。  使用者Ａは足載台５から足Ｂを降ろし、仰向け姿勢から上体を起こし、下部ハウジング１５に設けられている動作スイッチ７３を押して電源を切る。次にリモートコントローラ７７の接続プラグを接続ジャック７５から抜き、電源コードを家庭用１００Ｖ電源コンセントから抜いて上部カバー１７背面の収納室８１内に収納して、開閉蓋８５で収納室８１の開口を閉塞する。  
【００２５】
このような本実施の形態による健康器具１によれば、筺体３内に効率良く足載台駆動手段７を配置することが可能になり、筺体３の小型化と、健康器具１の軽量化とを図ることができるようになる。  又、二分割式の回転カム体４１の採用によって複雑な立体的なカム溝４３を比較的容易に成形できるようになる。例えば、回転カム体４１を一体物として成形した場合には、金型等の関係でカム溝４３の底面の中央に僅かな突起が線状に残留してしまい、それによって、滑らかな動作が損なわれることが懸念される。これに対して、二分割式の回転カム体４１の採用によってそのような突起の発生をなくして滑らかなカム溝４３を得ることができ、それによって、円滑な動作を提供することが可能になる。  又、足載台５の足載部１９の左端部２３と右端部２５を高くした凹陥面２７の採用によって使用中の足載台５からの足Ｂの脱落が防止される。  又、腰当てクッション８９の採用によって腰Ｃを中心とした下半身の円滑且つ無理のない効果的な揺動運動が実現されるようになる。  又、収納室８１の採用によって付属品の整理が容易になって付属品の紛失も防止される。  
【００２６】
尚、本発明は前記一実施の形態に限定されるものではない。例えば、筺体３の形状や構造は上記の実施の形態や構造に限定されるものではなく、種々のデザインの筺体３の形状や構造が採用可能である。同様にカム溝４３の形状もガイドローラ３９の形状に対応した種々の形状が採用可能であり、例えばガイドローラ３９が球形であれば、カム溝４３をＵ字溝形状等にすることが可能である。この他、タイマー時間の設定や駆動モータ４５の回転数の設定を更に細かくしたり、リモートコントローラ７７をワイヤレスタイプのものにすることも可能である。
【産業上の利用可能性】
【００２７】
本発明は、床面に仰向けに寝た状態で俗に「金魚運動」と呼ばれている足振り運動を実行するための健康器具の製造、使用分野等で利用でき、特に軽量、コンパクトで低コスト且つ収納性に優れる健康器具を提供し使用したい場合に利用可能性を有する。
【図面の簡単な説明】
【００２８】
【図１】本発明の一実施の形態を示す図で、健康器具と、その付属品を示す斜め前方からの斜視図である。
【図２】本発明の一実施の形態を示す図で、健康器具の内部構造を示す斜視図である。
【図３】本発明の一実施の形態を示す図で、健康器具の正面図である。
【図４】本発明の一実施の形態を示す図で、図３中のＩＶ−ＩＶ線で破断した状態を示す断面図である。
【図５】本発明の一実施の形態を示す図で、健康器具の右側面図である。
【図６】本発明の一実施の形態を示す図で、図５中のＶＩ−ＶＩ線で破断した状態を示す断面図である。
【図７】本発明の一実施の形態を示す図で、回転カム体の接合構造を示す側断面図である。
【図８】本発明の一実施の形態を示す図で、リモートコントローラのボタン配置を示す正面図である。
【図９】本発明の一実施の形態を示す図で、収納室の開閉蓋を取り外した状態の健康器具を示す斜め後方からの斜視図である。
【図１０】本発明の一実施の形態を示す図で、健康器具の使用状態を示す斜視図である。
【図１１】本発明の一実施の形態を示す図で、健康器具の作動態様を表にまとめた説明図である。
【符号の説明】
【００２９】
１  健康器具、３  筺体、５  足載台、７  足載台駆動手段、９  底部、１１  左側板、１３  右側板、１５  下部ハウジング、１７  上部カバー、１９  足載部、２１  スライダー、２３  左端部、２５  右端部、２７  凹陥面、２９  クッションカバー、３１  接合突起、３３  スライドシャフト、３５  シャフトホルダ、３７  回転軸、３９  ガイドローラ、４１  回転カム体、４３  カム溝、４５  駆動モータ、４７  減速機、４９  ベースプレート、５１  モータ用支持ブラケット、５３  減速機用支持ブラケット、５５  基端側回転カム体要素、５７  先端側回転カム体要素、５９  分割面、６１  接続軸部、６３  リブ、６５  立体カム、６７  左端支持プレート、６９  右端支持プレート、７１  電子基板、７３  動作スイッチ、７５  接続ジャック、７７  リモートコントローラ、７９  窓部、８１  収納室、８３  係止爪、８５  開閉蓋、８７  脚部、８９  腰当てクッション、９１  起動・停止ボタン、９３  タイマーボタン、９５  強・弱切換えボタン、９７  運転切換えボタン、Ａ  使用者、Ｂ  足、Ｃ  腰、Ｘ  水平方向、Ｗ  リード線、Ｆ  床面  
【図１】
2009090057.tif 000003
【図２】
2009090057.tif 000004
【図３】
2009090057.tif 000005
【図４】
2009090057.tif 000006
【図５】
2009090057.tif 000007
【図６】
2009090057.tif 000008
【図７】
2009090057.tif 000009
【図８】
2009090057.tif 000010
【図９】
2009090057.tif 000011
【図１０】
2009090057.tif 000012
【図１１】
2009090057.tif 000013